(57)【要約】【課題】圧接状態の目視検査を簡単に行うことができ、検査の自動化も容易な圧接コネクタを提供すること。【解決手段】フラットケーブル１０における被覆電線１１を圧接する圧接部を備える複数の圧接端子と、複数の圧接端子の圧接部をフラットケーブル１０における被覆電線１１の配列ピッチに対応するピッチで整列状態に支持する端子収容部３１を有すると共に、端子収容部３１の各圧接部の電線挿入側を外部に開放する開放部３２を有したハウジング本体３０と、開放部３２を覆ってハウジング本体３０に結合可能なカバー４０と、を備え、カバー４０には、圧接部による圧接状態を外部から視認可能な窓部４５を設ける。【選択図】図１
2014086169.tif 000002
【特許請求の範囲】
【請求項１】
複数の被覆電線が平面状に配列されると共に隣接する被覆電線間がブリッジ部で接続されたフラットケーブルを圧接接続する圧接コネクタであって、
電線挿入側から前記被覆電線を該被覆電線の軸線と直交する方向に押し込むことで前記被覆電線の被覆を切り裂いて前記被覆の内側の電線導体への圧接接続を果たす圧接部を備える複数の圧接端子と、
前記複数の圧接端子の前記圧接部を前記フラットケーブルにおける前記被覆電線の配列ピッチに対応するピッチで整列状態に支持する端子収容部と、前記端子収容部の前記各圧接部の前記電線挿入側を外部に開放して前記各圧接部の電線挿入側に前記フラットケーブルを配置可能な開放部と、を有したハウジング本体と、
前記開放部を覆って前記ハウジング本体に結合可能なカバーと、を備え、
前記カバーには、前記圧接部による圧接状態を外部から視認可能な窓部を設けたことを特徴とする圧接コネクタ。
【請求項２】
前記カバーは、前記被覆電線の前記圧接部への押し込み方向に沿ってスライド可能に前記ハウジング本体に取り付けられ、
前記ハウジング本体には、前記カバーと前記ハウジング本体上の前記各圧接部との間に前記フラットケーブルを挿入可能なケーブル挿入隙間を残す仮係止位置にカバーを仮止めする仮係止部と、前記圧接部に圧接された前記フラットケーブルを押さえ付けるケーブル固定位置に前記カバーを固定する本係止部と、を備え、
前記ケーブル挿入隙間に挿入された前記フラットケーブルが、前記カバーの前記仮係止位置から前記ケーブル固定位置への移動操作によって、前記圧接部へ押し込まれることを特徴とする請求項１に記載の圧接コネクタ。
【発明の詳細な説明】
【技術分野】
【０００１】
本発明は、圧接コネクタに関する。
【背景技術】
【０００２】
図７及び図８は、下記特許文献１に開示された圧接コネクタを示している。
この圧接コネクタ１００は、２本の２芯ケーブル１１１，１１２相互を、ハウジング１２０内に配置される２つの圧接端子１３１、１３２により分岐接続するコネクタである。
【０００３】
２本の２芯ケーブル１１１，１１２は、何れも、第１極の被覆電線１１１ａ，１１２ａと、第２極の被覆電線１１１ｂ，１１２ｂと、を有している。
【０００４】
ハウジング１２０は、不透明な絶縁性樹脂材料による一体成形品で、下側ハウジング１２１と、上側ハウジング１２２と、カバー１２３とを備えている。
【０００５】
下側ハウジング１２１と上側ハウジング１２２は、互いの片側がヒンジ部１２５により連結されていて、ヒンジ部１２５を支点とした回動動作により、突き合わせ部が開閉可能である。
【０００６】
下側ハウジング１２１と上側ハウジング１２２との間に画成される収容空間に、２つの圧接端子１３１、１３２が収容される。また、２本の２芯ケーブル１１１，１１２は、下側ハウジング１２１と上側ハウジング１２２との突き合わせ部に挿通される。
【０００７】
カバー１２３は、ヒンジ部１２６により、上側ハウジング１２２の上面を開閉可能に覆う。図示していないが、上側ハウジング１２２の上面には、圧接端子１３１、１３２をハウジング１２０内に挿入するための開口が設けられている。
【０００８】
各圧接端子１３１、１３２は、被覆電線を押し込むスリット状の圧接部ＳＬを２つ有すると共に、被覆電線を素通しさせる逃がし溝Ｋを１つ有している。圧接部ＳＬは、押し込まれた被覆電線の被覆を切り裂く圧接刃が被覆の内側の電線導体に接触して、その電線導体と圧接端子とが導通状態となる。各圧接端子１３１、１３２は、圧接部ＳＬに挿通された電線同士を導通（短絡）させる。
【０００９】
図示例の場合、圧接端子１３１は、２芯ケーブル１１１の第１極の被覆電線１１１ａと、２芯ケーブル１１２の第１極の被覆電線１１２ａと、を短絡させている。また、圧接端子１３２は、２芯ケーブル１１１の第２極の被覆電線１１１ｂと、２芯ケーブル１１２の第２極の被覆電線１１２ｂと、を短絡させている。
【先行技術文献】
【特許文献】
【００１０】
【特許文献１】特開平１０−２８９７３６号公報
【発明の概要】
【発明が解決しようとする課題】
【００１１】
ところで、特許文献１の圧接コネクタ１００の場合、ハウジング１２０は、不透明な樹脂材料製で、ハウジング１２０内における電線の圧接状態を目視検査する場合には、下側ハウジング１２１と上側ハウジング１２２とを開く必要があり、更に、目視検査後には、下側ハウジング１２１と上側ハウジング１２２とを閉じた状態に戻さなければならない。
【００１２】
従って、圧接状態の目視検査に多大な手間がかかるという問題が生じた。
また、ハウジング１２０を開閉する作業が必要なため、検査の自動化も難しいという問題があった。
【００１３】
そこで、本発明の目的は、上記課題を解消することに係り、圧接状態の目視検査を簡単に行うことができ、検査の自動化も容易な圧接コネクタを提供することにある。
【課題を解決するための手段】
【００１４】
本発明の前述した目的は、下記の構成により達成される。
（１）  複数の被覆電線が平面状に配列されると共に隣接する被覆電線間がブリッジ部で接続されたフラットケーブルを圧接接続する圧接コネクタであって、
電線挿入側から前記被覆電線を該被覆電線の軸線と直交する方向に押し込むことで前記被覆電線の被覆を切り裂いて前記被覆の内側の電線導体への圧接接続を果たす圧接部を備える複数の圧接端子と、
前記複数の圧接端子の前記圧接部を前記フラットケーブルにおける前記被覆電線の配列ピッチに対応するピッチで整列状態に支持する端子収容部と、前記端子収容部の前記各圧接部の前記電線挿入側を外部に開放して前記各圧接部の電線挿入側に前記フラットケーブルを配置可能な開放部と、を有したハウジング本体と、
前記開放部を覆って前記ハウジング本体に結合可能なカバーと、を備え、
前記カバーには、前記圧接部による圧接状態を外部から視認可能な窓部を設けたことを特徴とする圧接コネクタ。
【００１５】
（２）  前記カバーは、前記被覆電線の前記圧接部への押し込み方向に沿ってスライド可能に前記ハウジング本体に取り付けられ、
前記ハウジング本体には、前記カバーと前記ハウジング本体上の前記各圧接部との間に前記フラットケーブルを挿入可能なケーブル挿入隙間を残す仮係止位置にカバーを仮止めする仮係止部と、前記圧接部に圧接された前記フラットケーブルを押さえ付けるケーブル固定位置に前記カバーを固定する本係止部と、を備え、
前記ケーブル挿入隙間に挿入された前記フラットケーブルが、前記カバーの前記仮係止位置から前記ケーブル固定位置への移動操作によって、前記圧接部へ押し込まれることを特徴とする上記（１）に記載の圧接コネクタ。
【００１６】
上記（１）の構成によれば、ハウジング本体内の圧接端子の圧接部の上を覆うカバーに、圧接部による圧接状態を外部から視認可能な窓部を設けている。そのため、ハウジング本体を開閉せずに、カバーを付けた状態のままで、カバーの窓部を覗くだけで、圧接状態を確認することができる。
【００１７】
また、窓部に圧接状態が露呈するため、例えば、窓部に照射した光線の反射状態を検知する光学的な検査機器などを利用することで、検査の自動化も難しくない。
従って、圧接状態の目視検査を簡単に行うことができ、検査の自動化も容易にすることができる。
【００１８】
上記（２）の構成によれば、ハウジング本体内の圧接端子の圧接部の上を覆うカバーは、ハウジング本体に対して、仮係止位置とケーブル固定位置とに係止させることができ、カバーを仮係止位置に係止させた状態では、その状態のままで、フラットケーブルをハウジング本体内の圧接部の上に挿入することができる。
【００１９】
従って、ハウジング本体に圧接端子やカバーを取り付けた単一の組立品状態で、フラットケーブルを圧接する工程に供給することができ、取り扱い性に優れる。
【００２０】
また、フラットケーブルを圧接する工程では、カバーを仮係止位置に係止させた状態でカバーとハウジング本体との間に確保されているケーブル挿入隙間にフラットケーブルを挿入した後、カバーをケーブル固定位置にスライド移動させると、カバーがフラットケーブルを各圧接部に押し込んで、フラットケーブル上の複数の被覆電線を、一括して圧接状態にすることができ、圧接操作を容易、かつ確実にすることができる。
【発明の効果】
【００２１】
本発明による圧接コネクタによれば、ハウジング本体を開閉せずに、カバーを付けた状態のままで、カバーの窓部を覗くだけで、圧接状態を確認することができる。
【００２２】
また、窓部に圧接状態が露出するため、例えば、窓部に照射した光線の反射状態を検知する光学的な検査機器などを利用することで、検査の自動化も難しくない。
【００２３】
従って、圧接状態の目視検査を簡単に行うことができ、検査の自動化も容易にすることができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明に係る圧接コネクタの一実施形態で、カバーが仮係止位置に仮止めされている状態の斜視図である。
【図２】図２は一実施形態のカバーの斜視図である。
【図３】図３は一実施形態のハウジング本体上へのフラットケーブルの挿入を終えた後、カバーをケーブル固定位置にスライド移動させる状態の斜視図である。
【図４】図４は一実施形態の圧接コネクタにおいて、カバーがケーブル固定位置に移動させて、フラットケーブルの圧接が完了した状態の縦断面図である。
【図５】図５は一実施形態の圧接コネクタにおいて、フラットケーブルの圧接が完了した状態の斜視図である。
【図６】図６は図５のＡ部の拡大図である。
【図７】図７は従来の圧接コネクタの外観斜視図である。
【図８】図８は図７の圧接コネクタの内部の透視図である。
【発明を実施するための形態】
【００２６】
以下、本発明に係る圧接コネクタの好適な実施形態について、図面を参照して詳細に説明する。
【００２７】
図１〜図６は本発明に係る圧接コネクタの一実施形態を示したもので、図１は一実施形態の圧接コネクタにおいてカバーが仮係止位置に仮止めされている状態の斜視図、図２は一実施形態のカバーの斜視図、図３は一実施形態のハウジング本体上へのフラットケーブルの挿入を終えた後にカバーをケーブル固定位置にスライド移動させる状態の斜視図、図４は一実施形態の圧接コネクタにおいてカバーがケーブル固定位置に移動させて、フラットケーブルの圧接が完了した状態の縦断面図、図５は一実施形態の圧接コネクタにおいてフラットケーブルの圧接が完了した状態の斜視図、図６は図５のＡ部の拡大図である。
【００２８】
この一実施形態の圧接コネクタ１は、図１に示すフラットケーブル１０を圧接接続するコネクタで、複数の圧接端子２０（図４参照）と、これらの複数の圧接端子２０を整列状態に支持するハウジング本体３０と、該ハウジング本体３０の開放部３２を覆うカバー４０と、を備える。
【００２９】
フラットケーブル１０は、複数の被覆電線１１が平面状に配列されると共に、隣接する被覆電線１１間が絶縁樹脂製のブリッジ部１２で接続されている。ブリッジ部１２は、被覆電線１１の外部被覆と同一の絶縁樹脂製で、被覆電線１１の外部被覆と一体である。
【００３０】
圧接端子２０は、金属板のプレス成形品で、図４に示すように、圧接部２１と、該圧接部２１の先端に延出形成された端子接続部２２と、を供える。
【００３１】
圧接部２１は、該圧接部２１における電線挿入側から被覆電線１１を該電線１１の軸線と直交する方向（図４では、矢印Ｘ１方向）に押し込むことで、被覆電線１１内の電線導体への圧接接続を果たす部位である。
【００３２】
圧接部２１は、図６に示すように、一対の圧接刃２１ａ，２１ｂを備えている。一対の圧接刃２１ａ，２１ｂは、被覆電線１１を押し込み可能な間隔を開けて、対向配置されている。一対の圧接刃２１ａ，２１ｂ間に被覆電線１１を押し込むことで、一対の圧接刃２１ａ，２１ｂが被覆電線１１の被覆を切り裂いて前記被覆の内側の電線導体への圧接接続を果たす。
【００３３】
前述の電線挿入側とは、一対の圧接刃２１ａ，２１ｂの先端側で、一対の圧接刃２１ａ，２１ｂ間の隙間が外部に開放している側である。図４では、紙面上で圧接部２１の上部側である。
【００３４】
圧接部２１の一対の圧接刃２１ａ，２１ｂは、圧接端子２０を構成する底部壁２０ａ又は側部壁２０ｂの一部を切り起こすことで、圧接端子２０に一体形成されている。
【００３５】
端子接続部２２は、圧接部２１の先端に延出形成された角筒状構造で、相手コネクタ側の雄型の接続端子に嵌合接続される。この端子接続部２２は、図４に示すように、上壁部２２ｃに、抜け止め用のランス２２ｄが設けられている。抜け止め用のランス２２ｄは、上壁部２２ｃの一部を切り起こすことで形成されている。抜け止め用のランス２２ｄは、端子接続部２２を後述する端子収容部３１の端子収容孔３１ａに挿入した際に、端子収容孔３１ａ内に装備されている係止部３４に係合して、抜け止めを果たす。
【００３６】
ハウジング本体３０は、端子収容部３１と、開放部３２と、ロック手段３３と、を備える。
【００３７】
端子収容部３１は、圧接端子２０を収容する複数の端子収容孔３１ａを平面状に配列している。端子収容孔３１ａは、ハウジング本体３０を前後方向（図４の矢印Ｙ１方向）に貫通した孔である。
【００３８】
端子収容部３１は、それぞれの端子収容孔３１ａに圧接端子２０を挿入することで、複数の圧接端子２０の圧接部２１を、フラットケーブル１０における被覆電線１１の配列ピッチに対応するピッチで整列状態に支持する。
【００３９】
図４に示すように、端子収容孔３１ａの端子接続部２２を収容する部位には、圧接端子２０が正規の挿入位置まで挿入されたときにランス２２ｄに係合する係止部３４が設けられている。係止部３４は、ランス２２ｄと係合することで、圧接端子２０を抜け止めする。
【００４０】
ハウジング本体３０における開放部３２は、図４に示すように、端子収容部３１の各圧接部２１の前記電線挿入側を外部に開放している。この開放部３２を備えたことで、各圧接部２１の電線挿入側にフラットケーブル１０を配置可能である。
【００４１】
ロック手段３３は、圧接コネクタ１を相手コネクタに嵌合接続した際に、相手コネクタの係合部と係合して、コネクタ相互の接続状態をロックする。
【００４２】
カバー４０は、図４に示すように、開放部３２を覆って、ハウジング本体３０に結合可能である。このカバー４０は、図２に示すように、開放部３２の上を覆う略平板状のカバー本体４１と、該カバー本体４１の両側に延設された係合片４２と、端子収容孔３１ａの軸方向への移動を規制するための移動規制部４３と、を備えている。
【００４３】
カバー本体４１には、図２に示すように、圧接部２１による圧接状態を外部から視認可能な複数の窓部４５が設けられている。窓部４５は、カバー本体４１を貫通する開口で、図４に示すように、端子収容部３１に装着された圧接端子２０の圧接部２１と対向する位置に、各圧接部２１毎に、設けられている。また、図４に示すように、圧接部２１を構成している圧接刃２１ａ，２１ｂの先端の一部が進入可能である。言い換えると、窓部４５は、圧接刃２１ａ，２１ｂがカバー本体４１に干渉しないように、圧接刃２１ａ，２１ｂの先端を逃がす、逃がし孔になっている。
【００４４】
また、カバー本体４１は、圧接刃２１ａ，２１ｂの先端部が、窓部４５から外部に突出しないように、板厚Ｔが設定されている。
【００４５】
係合片４２は、図１に示すように、カバー本体４１の側縁から、被覆電線１１の圧接部２１への押し込み方向（図１の矢印Ｘ２方向）に沿って延出している。この係合片４２は、被覆電線１１の圧接部２１への押し込み方向に延出した弾性片４２ａの先端に、係合突起４２ｂを設けたものである。
【００４６】
係合片４２をハウジング本体３０に係合させることで、カバー４０は、被覆電線１１の圧接部２１への押し込み方向（図１の矢印Ｘ２方向）に沿ってスライド可能に、ハウジング本体３０に取り付けられる。
【００４７】
ハウジング本体３０には、係合片４２と係合することでカバー４０を位置決めする手段として、仮係止部３６と、本係止部３７と、を備えている。仮係止部３６及び本係止部３７は、上記係合片４２の係合突起４２ｂと係合する溝である。仮係止部３６及び本係止部３７は、係合突起４２ｂと係合することで、カバー４０の前記押し込み方向への移動を規制する。
【００４８】
図１及び図３に示した圧接コネクタ１の場合は、係合突起４２ｂが仮係止部３６に係合することで、カバー４０が後述する仮係止位置に固定されている。また、図４に示した圧接コネクタ１の場合は、係合突起４２ｂが本係止部３７に係合することで、カバー４０が後述するケーブル固定位置に固定されている。
【００４９】
仮係止部３６及び本係止部３７となる溝は、何れも、ハウジング本体３０の前後方向（図４の矢印Ｙ１方向）に沿って延設されている。
【００５０】
仮係止部３６は、図１及び図３に示すように、カバー４０の係合突起４２ｂが係合することで、カバー４０を仮係止位置に固定（仮止め）する。ここに、仮係止位置とは、図１に示すように、カバー４０とハウジング本体３０上の各圧接部２１との間に、フラットケーブル１０を挿入可能なケーブル挿入隙間Ｓを残す位置である。
【００５１】
ケーブル挿入隙間Ｓは、圧接部２１の圧接刃２１ａ，２１ｂの先端位置と、カバー本体４１の内面４１ａ（図４参照）とで挟まれる領域で、圧接刃２１ａ，２１ｂの上方に確保される空間である。このケーブル挿入隙間Ｓが確保されているカバー４０の仮止め状態では、図１に矢印Ｙ２で示すように、フラットケーブル１０をケーブル挿入隙間Ｓ内に挿入自在である。フラットケーブル１０をケーブル挿入隙間Ｓに挿入することで、フラットケーブル１０を各圧接部２１の電線挿入側に配置することができる。
【００５２】
フラットケーブル１０のケーブル挿入隙間Ｓへの挿入が完了した図３の状態からカバー４０を矢印Ｘ３方向に押し込むと、カバー本体４１の内面４１ａがフラットケーブル１０を圧接部２１側に押し込む。そして、図４に示すケーブル固定位置にカバー４０が到達すると、カバー４０の係合突起４２ｂが本係止部３７に係合して、カバー４０が固定される。
【００５３】
図４に示すケーブル固定位置とは、被覆電線１１が圧接部２１に適正に押し込まれて被覆電線１１の圧接接続が完了すると共に、カバー本体４１の内面がフラットケーブル１０を押さえ付けて、フラットケーブル１０が固定される位置である。
【００５４】
移動規制部４３は、カバー本体４１の前端に突設された逆三角形状の係止突起である。
この移動規制部４３は、カバー４０がケーブル固定位置に移動したときには、図５に示すように、ハウジング本体３０に装備されている同形状の係止凹部３８に嵌合する。移動規制部４３が係止凹部３８に嵌合することで、カバー４０が、端子収容孔３１ａの軸方向（図５の矢印Ｙ４方向）に移動できなくなる。
【００５５】
本実施形態の圧接コネクタ１は、言い換えると、図３に示すようにケーブル挿入隙間Ｓに挿入されたフラットケーブル１０が、カバー４０の前記仮係止位置から前記ケーブル固定位置への移動操作によって、圧接部２１へ押し込まれて圧接部２１に圧接接続されるコネクタである。
【００５６】
カバー４０のケーブル固定位置への移動操作によってフラットケーブル１０の圧接接続が完了した状態では、図６に示すように、被覆電線１１の上に突き抜けた圧接刃２１ａ，２１ｂの先端部が、窓部４５内に進入している。従って、被覆電線１１の圧接状態の目視検査は、窓部４５を覗くだけで良く、極めて簡単になる。
【００５７】
また、圧接部２１による圧接状態が窓部４５に露呈するため、窓部４５に照射した光線の反射状態を検知する光学的な検査機器などを利用することで、圧接状態を判定する検査を自動化することも考えられる。
【００５８】
以上に説明した一実施形態の圧接コネクタ１の場合、ハウジング本体３０内の圧接端子２０の圧接部２１の上を覆うカバー４０に、圧接部２１による圧接状態を外部から視認可能な窓部４５を設けている。そのため、ハウジング本体３０を開閉せずに、カバー４０を付けた状態のままで、カバー４０の窓部４５を覗くだけで、圧接状態を確認することができる。
【００５９】
また、窓部４５に圧接状態が露呈するため、例えば、窓部４５に照射した光線の反射状態を検知する光学的な検査機器などを利用することで、検査の自動化も難しくない。
【００６０】
従って、圧接状態の目視検査を簡単に行うことができ、検査の自動化も容易にすることができる。
【００６１】
また、以上に説明した一実施形態の圧接コネクタ１の場合、ハウジング本体３０内の圧接端子２０の圧接部２１の上を覆うカバー４０は、ハウジング本体３０に対して、仮係止位置とケーブル固定位置とに係止させることができ、カバー４０を仮係止位置に係止させた状態では、図１に示したように、ハウジング本体３０内の圧接部２１の上にケーブル挿入隙間Ｓが確保される。そのため、その状態のままで、フラットケーブル１０をハウジング本体３０内の圧接部２１の上に挿入することができる。
【００６２】
従って、ハウジング本体３０に圧接端子２０やカバー４０を取り付けた単一の組立品状態で、フラットケーブル１０を圧接する工程に供給することができ、取り扱い性に優れる。
【００６３】
また、以上に説明した一実施形態の圧接コネクタ１の場合、フラットケーブル１０を圧接する工程では、カバー４０を仮係止位置に係止させた状態でカバー４０とハウジング本体３０との間に確保されているケーブル挿入隙間Ｓにフラットケーブル１０を挿入した後、カバー４０をケーブル固定位置にスライド移動させると、カバー４０がフラットケーブル１０を各圧接部２１に押し込んで、フラットケーブル１０上の複数の被覆電線１１を、一括して圧接状態にすることができ、圧接操作を容易、かつ確実にすることができる。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
例えば、前述した実施形態では、カバー４０には、窓部４５を各圧接部２１毎に装備したが、１つの窓部４５から複数の圧接部２１における圧接状態を確認できるように、窓部４５を大型化して、窓部４５の装備数を減らすことも考えられる。
【００６６】
また、前述の実施形態では、窓部４５が開口であったが、窓部４５を透明な樹脂製にすることも考えられる。
【００６７】
ここで、上述した本発明に係る圧接コネクタの実施形態の特徴をそれぞれ以下［１］〜［２］に簡潔に纏めて列記する。
【００６８】
［１］  複数の被覆電線（１１）が平面状に配列されると共に隣接する被覆電線（１１）間がブリッジ部（１２）で接続されたフラットケーブル（１０）を圧接接続する圧接コネクタ（１）であって、
電線挿入側から前記被覆電線（１１）を該被覆電線（１１）の軸線と直交する方向に押し込むことで前記被覆電線（１１）の被覆を切り裂いて前記被覆の内側の電線導体への圧接接続を果たす圧接部（２１）を備える複数の圧接端子（２０）と、
前記複数の圧接端子（２０）の前記圧接部（２１）を前記フラットケーブル（１０）における前記被覆電線（１１）の配列ピッチに対応するピッチで整列状態に支持する端子収容部（３１）と、前記端子収容部（３１）の前記各圧接部（２１）の前記電線挿入側を外部に開放して前記各圧接部（２１）の電線挿入側に前記フラットケーブル（１０）を配置可能な開放部（３２）と、を有したハウジング本体（３０）と、
前記開放部（３２）を覆って前記ハウジング本体（３０）に結合可能なカバー（４０）と、を備え、
前記カバー（４０）には、前記圧接部（２１）による圧接状態を外部から視認可能な窓部（４５）を設けたことを特徴とする圧接コネクタ（１）。
【００６９】
［２］  前記カバー（４０）は、前記被覆電線（１１）の前記圧接部（２１）への押し込み方向に沿ってスライド可能に前記ハウジング本体（３０）に取り付けられ、
前記ハウジング本体（３０）には、前記カバー（４０）と前記ハウジング本体（３０）上の前記各圧接部（２１）との間に前記フラットケーブル（１０）を挿入可能なケーブル挿入隙間（Ｓ）を残す仮係止位置にカバー（４０）を仮止めする仮係止部（３６）と、前記圧接部（２１）に圧接された前記フラットケーブル（１０）を押さえ付けるケーブル固定位置に前記カバー（４０）を固定する本係止部（３７）と、を備え、
前記ケーブル挿入隙間（Ｓ）に挿入された前記フラットケーブル（１０）が、前記カバー（４０）の前記仮係止位置から前記ケーブル固定位置への移動操作によって、前記圧接部（２１）へ押し込まれることを特徴とする上記［１］に記載の圧接コネクタ（１）。
【符号の説明】
【００７０】
１  圧接コネクタ
１０  フラットケーブル
１１  被覆電線
１２  ブリッジ部
２０  圧接端子
２１  圧接部
３０  ハウジング本体
３１  端子収容部
３２  開放部
３６  仮係止部
３７  本係止部
４０  カバー
４５  窓部
Ｓ  ケーブル挿入隙間
【図１】
2014086169.tif 000003
【図２】
2014086169.tif 000004
【図３】
2014086169.tif 000005
【図４】
2014086169.tif 000006
【図５】
2014086169.tif 000007
【図６】
2014086169.tif 000008
【図７】
2014086169.tif 000009
【図８】
2014086169.tif 000010